(57)【要約】【課題】  緊急放送が行われた場合に強制的に緊急放送チャンネルに切り換える必要がある。記録装置で受信信号の記録を行っている状態で緊急放送を検知すると、記録装置に出力している受信信号が強制的に緊急放送チャンネルに切り換わり、本来記録したいチャンネルが記録できない。【解決手段】  選局回路、復調回路、多重分離回路および復号回路で構成される受信系統を複数持つ。緊急放送を検知した場合、受信信号記録用に出力している信号を受信している受信系統はそのまま選局・復調を続行し、他の受信系統で緊急放送チャンネルを選局し表示を行う。【選択図】  図１
2005159779.tif 000002
【特許請求の範囲】
【請求項１】
物理チャンネルを受信する第一および第二の受信手段と、
前記第一の受信手段および前記第二の受信手段において受信されたいずれかの信号を出力する第一および第二の出力手段と、
緊急放送の存在を検出する検出手段と、
前記検出手段において緊急放送が検出されたときには、前記第一の受信手段において緊急放送が放送される物理チャンネルを受信し、前記第一の出力手段から出力するように前記第一の受信手段と前記第一の出力手段を制御し、前記緊急放送の検出以前に前記第一の受信手段において受信していた第一の物理チャンネルまたは、前記第二の受信手段において受信していた第二の物理チャンネルのいずれかを前記第二の受信手段において受信し、前記第二の出力手段から出力するように前記第二の受信手段と前記第二の出力手段を制御する制御手段と、
を備えてなることを特徴とする受信装置。
【請求項２】
前記検出手段は、緊急放送に関する情報を含むチャンネルを受信する第三の受信手段であることを特徴とする請求項１に記載の受信装置。
【請求項３】
前記第三の受信手段は、前記第一または前記第二の受信手段のいずれかと同じケーブル放送の信号が入力されることを特徴とする請求項２に記載の受信装置。
【請求項４】
前記第一の出力手段は、映像を表示する表示装置に対し信号を出力し、前記第二の出力手段は、映像を記録する記録装置に対し信号を出力することを特徴とする請求項１に記載の受信装置。
【請求項５】
前記第一の受信手段は、受信した信号を選局する第一の選局手段と、前記第一の選局手段において選局した信号を復調する第一の復調手段と、前記第一の復調手段において復調された信号の多重分離を行う第一の多重分離手段と、前記第一の多重分離手段において分離された信号を復号する第一の復号手段とを備え、
前記第二の受信手段は、受信した信号を選局する第二の選局手段と、前記第二の選局手段において選局した信号を復調する第二の復調手段と、前記第二の復調手段において復調された信号の多重分離を行う第二の多重分離手段と、前記第二の多重分離手段において分離された信号を復号する第二の復号手段とを備えてなることを特徴とする請求項１に記載の受信装置。
【請求項６】
前記制御手段は、前記第二の出力手段の出力が前記記録装置によって記録が行われているかどうかを検出し、前記記録装置によって記録が行われている場合は、前記第一の受信手段により緊急放送が放送される物理チャンネルを受信し、前記第二の受信手段は、前記記録装置によって記録されている物理チャンネルの受信を継続するように制御することを特徴とする請求項４に記載の受信装置。
【請求項７】
前記第一の復号手段と、前記第二の復号手段の出力のいずれかは、前記第一の出力手段において表示装置に対し出力され、
前記第一の多重分離手段と、前記第二の多重分離手段の出力のいずれかは、前記第二の出力手段において記録装置に対し出力されることを特徴とする請求項４に記載の受信装置。
【請求項８】
複数の異なる方式の信号が入力され、入力された信号を切換えて出力する切換手段を備え、
前記切換手段の出力は、前記第一の受信手段または前記第二の受信手段に入力されることを特徴とする請求項１に記載の受信装置。
【請求項９】
前記切換手段に入力される信号は、地上波放送信号およびケーブル放送信号であることを特徴とする請求項８に記載の受信装置。
【請求項１０】
前記制御手段は、前記検出手段において緊急放送が検出されたときには、前記緊急放送の検出以前に前記第二の出力手段から出力されていた物理チャンネルの信号を、前記第二の受信手段において受信し、前記出力手段から外部へ出力するように前記第二の受信手段と前記第二の出力手段を制御することを特徴とする請求項４に記載の受信装置。
【請求項１１】
物理チャンネルを受信する第一および第二の受信手段と、
前記第一の受信手段および前記第二の受信手段において受信されたいずれかの信号を表示する表示手段と、
前記第一の受信手段および前記第二の受信手段において受信されたいずれかの信号を出力する出力手段と、
緊急放送の存在を検出する検出手段と、
前記検出手段において緊急放送が検出されたときには、前記第一の受信手段において緊急放送が放送される物理チャンネルを受信し、前記表示手段において緊急放送を表示するように前記第一の受信手段を制御し、前記緊急放送の検出以前に前記第一の受信手段において受信していた第一の物理チャンネルまたは、前記第二の受信手段において受信していた第二の物理チャンネルのいずれかを前記第二の受信手段において受信し、前記出力手段から外部へ出力するように前記第二の受信手段と前記出力手段を制御する制御手段と、
を備えてなることを特徴とする表示装置。
【請求項１２】
前記制御手段は、前記検出手段において緊急放送が検出されたときには、前記緊急放送の検出以前に前記出力手段から出力されていた物理チャンネルの信号を、前記第二の受信手段において受信し、前記出力手段から外部へ出力するように前記第二の受信手段と前記出力手段を制御することを特徴とする請求項１１に記載の表示装置。
【請求項１３】
物理チャンネルを受信する第一および第二の受信手段と、
前記第一の受信手段および前記第二の受信手段において受信されたいずれかの信号を表示装置に対し出力する出力手段と、
前記第一の受信手段および前記第二の受信手段において受信されたいずれかの信号を記録する記録手段と、
緊急放送の存在を検出する検出手段と、
前記検出手段において緊急放送が検出されたときには、前記第一の受信手段において緊急放送が放送される物理チャンネルを受信し、前記出力手段において緊急放送を出力するように前記第一の受信手段と前記出力手段を制御し、前記緊急放送の検出以前に前記第一の受信手段において受信していた第一の物理チャンネルまたは、前記第二の受信手段において受信していた第二の物理チャンネルのいずれかを前記第二の受信手段において受信し、前記記録手段において記録するように前記第二の受信手段と前記記録手段を制御する制御手段と、
を備えてなることを特徴とする記録装置。
【請求項１４】
前記制御手段は、前記検出手段において緊急放送が検出されたときには、前記緊急放送の検出以前に前記記録手段において記録されていた物理チャンネルの信号を、前記第二の受信手段において受信し、前記記録手段において記録するように前記第二の受信手段と前記記録手段を制御することを特徴とする請求項１３に記載の記録装置。
【請求項１５】
前記物理チャンネルとは、異なる周波数毎のチャンネルを表すことを特徴とする請求項１〜１０のいずれかに記載の受信装置。
【発明の詳細な説明】
【技術分野】
【０００１】
本発明は,デジタル放送の無線信号又は優先信号の受信に使用される受信装置並びにこれを用いた映像表示装置および記録装置に関し、特に、放送局より送信される緊急放送を受信する受信装置に関するものである。
【背景技術】
【０００２】
地上波・ケーブル・衛星等の伝送メディアを用いたデジタル放送を受信するデジタル放送受信装置は、複数の放送波の中から任意の放送波をチューナによって選択し、この選択した放送波に含まれる複数のチャンネルのなかから任意のチャンネルをデマルチプレクス処理によって選択し、この選択したチャンネルのデジタル信号を取り出し、これを復号することによって映像・音声信号を出力する。
ところで、デジタル放送では緊急時に表示する文字メッセージや、表示する映像・音声ストリームをトランスポートストリームに多重して送出することが可能である。受信装置の側ではデジタル放送波に含まれる緊急放送が行われていることを感知し、緊急放送用データを抽出して受信映像に重ねて表示させる処理を行ったり、復号および表示するチャンネルを緊急放送用ストリームに切り換えたりすることができる。
【０００３】
米国のデジタルケーブル放送規格であるSCTE 18 2001：Emergency Alert Message for Cable（非特許文献１）にも緊急放送についての規定がなされている。この規格に対応する受信機は、緊急放送を感知した場合は緊急放送チャンネルに切り換える処理を必ず行わなければならない。
【０００４】
また受信装置で受信したデジタル信号もしくは復号したアナログ信号を記録装置に対し出力し、記録することは広く行われている。さらに記録を行っている際に緊急放送が開始された場合に、緊急放送を優先して表示する方法が考案されている（例えば、特許文献１参照。）。
【０００５】
また、映像信号と文字放送信号を受信する２つの選局部を備え、文字放送を利用し緊急警報を自動表示するシステムが開示されている（例えば、特許文献２参照。）。
【０００６】
【特許文献１】特開２００３−２４４６００号公報
【０００７】
【特許文献２】特開平１０−１４５７５１号公報
【非特許文献１】SCTE 18 2001：Emergency Alert Message for Cable（米国）2001年
【発明の開示】
【発明が解決しようとする課題】
【０００８】
しかしながら、従来の技術では、上記米国デジタルケーブル放送規格のように緊急放送時のチャンネル切り替えが強制されている場合には、緊急放送の感知および緊急放送チャンネルへの切り替えに伴い、表示画面が緊急放送チャンネルに切り替わるのと同時に、記録装置に出力されている受信信号も強制的に緊急放送チャンネルに切り替わってしまう。このため記録装置で記録されている映像は、緊急放送の感知と同時に緊急放送チャンネルに切り替わってしまう。緊急放送チャンネルは送信と同時に受信・視聴されることが目的で送信されているものであり、記録装置で記録することは意味を持たない。受信装置および記録装置の使用者にとってみれば、緊急放送は受信・表示を行いつつ、本来記録したいチャンネルの記録は続行されるのが望ましい。
【０００９】
本発明は、上記事情を鑑み、緊急放送チャンネルの受信および表示を行いつつ、本来使用者が記録したいチャンネルの記録を途切れることなく続行することが可能なデジタル放送受信装置を提供するものである。
【課題を解決するための手段】
【００１０】
異なる物理チャンネルを受信する第一と第二の受信手段と、第一の受信手段および前記第二の受信手段において受信されたいずれかの信号を出力する第一および第二の出力手段と、緊急放送の存在を検出する検出手段と、を設ける。前記検出手段において緊急放送が検出されたときには、前記第一の受信手段において緊急放送が放送される物理チャンネルを受信し、前記第一の出力手段から出力するように前記第一の受信手段と前記第一の出力手段を制御し、前記緊急放送の検出以前に前記第一の受信手段において受信していた第一の物理チャンネルまたは、前記第二の受信手段において受信していた第二の物理チャンネルのいずれかを前記第二の受信手段において受信し、前記第二の出力手段から出力するように前記第二の受信手段と前記第二の出力手段を制御する構成とする。
【００１１】
また、前記検出手段において緊急放送が検出されたときには、前記緊急放送の検出以前に前記第二の出力手段から出力されていた物理チャンネルの信号を、前記第二の受信手段において受信し、前記出力手段から外部へ出力するように前記第二の受信手段と前記第二の出力手段とを制御する構成とする。
【発明の効果】
【００１２】
本発明によれば、ユーザの使い勝手が向上する。
【発明を実施するための最良の形態】
【００１３】
以下に、本発明の実施の形態を図面にしたがって説明する。
【実施例１】
【００１４】
図１は本発明の実施の形態を示しており、本発明の受信装置を含むブロック図である。図１において、１０は制御回路、１３は切換回路、１２は映像表示装置、１４は映像音声出力端子、１５は記録装置である。切換回路１３は第一の入力１３１、第二の入力１３２、第一の出力１３３および第二の出力１３４を有する。また第一の受信系統として、１１０は第一の入力端子、１１１は第一の選局回路、１１２は第一の復調回路、１１３は第一の多重分離回路、１１４は第一の復号回路から構成される。また第二の受信系統として、１２０は第二の入力端子、１２１は第二の選局回路、１２２は第二の復調回路、１２３は第二の多重分離回路、１２４は第二の復号回路から構成される。さらに第三の受信系統として、１７１は第三の選局回路、１７２は第三の復調回路、１７３はデータ分離回路である。
【００１５】
送信側においては、映像、音声信号および付属するデータで構成された論理チャンネルはそれぞれMPEG(Moving Picture Experts Group)などの符号化方式により符号化され、一つまたは複数の符号化された論理チャンネルがMPEGシステムを使用して多重化されることにより、一つの物理チャンネルを用いて送信される多重化された符号化信号となる。多重化された符号化信号はデジタル変調方式で変調され、異なる周波数を使用する物理チャンネル上で送信される物理チャンネル変調信号となり、図１における入力端子１１０および１２０に入力される。
【００１６】
緊急放送に関する情報は、SCTE 18 2001：Emergency Alert Message for Cableに示されるように、OOB（Out Of Band）と呼ばれるチャンネルにより伝送される。OOBには前記符号化信号のスクランブル情報が含まれており、符号化信号とは異なる変調方式及び物理チャンネルが使用されている。前記規格SCTE 18 2001においては、受信装置が緊急放送が行われていることを検知した場合は、該当する緊急放送チャンネルを必ず表示することが規定されている。したがって、もともと視聴していた論理チャンネルと緊急放送チャンネルの物理チャンネルが異なる場合は、当然ながら選局している物理チャンネルも変更する必要がある。
【００１７】
図1に示した受信装置の説明に戻る。まず、第一の受信系統で受信信号を選局、復調、多重分離、復号を行う。すなわち、選局回路１１１は、入力端子１１０に入力された変調信号から任意の物理チャンネルの信号を選局する。選局された変調信号は、復調回路１１２によって復調され、多重分離回路１１３に入力される。多重分離回路１１３は受信したい論理チャンネルを分離し、復号回路１１４に入力する。復号回路は映像および音声信号の復号を行い、復号した映像および音声信号は切換回路の入力端子1３１に入力される。これら受信動作は制御回路１０によって制御される。
【００１８】
上記第一の受信系統と同様に、第二の受信系統、すなわち第二の選局回路１２１、第二の復調回路１２２、第二の多重分離回路１２３、第二の復号回路１２４において入力端子１２０の受信信号を選局、復調、多重分離、復号を行い、復号した映像および音声信号は切換回路の入力端子1３２に入力される。
【００１９】
第三の受信系統は第三の選局回路１７１、第三の復調回路１７２およびデータ分離回路で構成される。選局回路１７１へは入力端子１２０からの変調信号が入力され、選局回路１７１でOOBチャンネルを選局し、復調回路１７３で復調を行い、データ分離回路１７３で緊急放送情報の分離を行い、緊急放送の有無が検知される。なお、第三の受信系統は緊急放送に関する情報やその有無のみを抽出するものであり、緊急放送自体は、第一または第二の受信系統において受信されるものである。
【００２０】
【表１】
2005159779.tif 000003
【００２１】
ここで切換回路１３の動作について表１を用いて説明する。表１は受信したチャンネルの表示および記録状態と切換回路１２の入出力を示している。ここでチャンネルＡおよびＢは使用者が選択した任意のチャンネルであり、チャンネルＣは強制的に表示しなければならない緊急放送チャンネルとする。
【００２２】
まず緊急放送が行われていない通常状態の状態を説明する。１チャンネルだけを受信し記録装置１５で記録を行わない場合は、第一の受信系統でチャンネルＡを受信し、表示装置１２で表示する。したがって表１のＮｏ．１−１に示すように、第一の受信系統からの入力チャンネルＡの信号を１３３に出力する。第二の受信系統は特に受信を行う必要は無く、また出力端子１４への出力１３４は停止している。
【００２３】
次に記録装置１５における記録だけを行い、表示は必要としない場合が考えられる。この場合は表1のＮｏ．１−２に示すように、表示装置１２への出力１３３を停止し、出力端子１４への出力１３４に第一の受信系統で受信しているチャンネルＡの信号を出力する。
【００２４】
続いて同一チャンネルの表示と記録を同時に行う場合は、表１のＮｏ．１−３に示すように、第一の受信系統で受信したチャンネルＡの信号を表示装置１２への出力１３３と出力端子１４への出力１３４に出力する。
【００２５】
最後に表示チャンネルと記録チャンネルが異なる場合は、表1のＮｏ．１−４に示すように、第一の受信系統からの入力チャンネルＡの信号を１３３に出力し、第二の受信系統で受信したチャンネルＢの信号を出力端子１４への出力１３４に出力する。
【００２６】
以上緊急放送が行われていない通常状態での制御を説明したが、データ分離回路１７３において緊急放送が行われていることが検知した場合は、必ず緊急放送チャンネルＣを表示装置１２で表示しなければならない。また緊急放送が開始される場合は、強制的に表示しなければならない緊急放送チャンネルの情報もデータ分離回路１７３により抽出される。
【００２７】
表１のＮｏ．１−１の状態で緊急放送を検知した場合は、Ｎｏ．２−１に示すように第一の受信系統はチャンネルＣを選局し、それに従い切換回路１３の入力１３１と出力１３３はチャンネルＣの信号となる。
【００２８】
次に表１のＮｏ．１−２の状態で緊急放送を検知した場合は、第一の受信系統でチャンネルＣを受信すると、出力１３４もチャンネルＣの信号に切り換わってしまい、記録装置１５で本来記録したいチャンネルＡの信号を記録することが出来ない。これを防ぐために、本発明では、第一の受信系統ではチャンネルＡを引き続き受信しつつ、緊急放送チャンネルＣは第二の受信系統で受信するように制御回路１０で制御を行う。このとき、表１のＮｏ．２−２に示すように、第二の受信系統で受信を開始した緊急放送チャンネルＣの信号を入力１３２に供給し、切換回路１３はチャンネルＣの信号を表示装置１２への出力１３３に出力する。つまり、記録装置によって記録が行われているかどうかを監視あるいは検出し、記録装置によって記録が行われている場合は、第二の受信系統による緊急放送受信動作と切換回路１３の動作を行うようにする。
【００２９】
また、表１のＮｏ．１−３の状態で緊急放送を検知した場合も同様に、表１のＮｏ．２−２に示すように、第一の受信系統ではチャンネルＡを引き続き受信しつつ、緊急放送チャンネルＣは第二の受信系統で受信する。
【００３０】
最後に表１のＮｏ．１−４の状態で緊急放送を検知した場合は、記録を行っている第二の受信系統はそのまま受信を続け、表示を行っている第一の受信系統で緊急放送チャンネルを受信するようにする。すなわち表１のＮｏ．２−３に示すように、第一の受信系統は受信チャンネルがチャンネルＡからチャンネルＣに切り換わり、入力１３１に供給され、切換回路１３はチャンネルＣの信号を表示装置１２への出力１３３に出力する。チャンネルＢの信号は緊急放送開始前と同じく、１３４から出力端子１４に出力される。
【００３１】
以上説明したように、本発明によれば、記録装置１５で記録を行っている場合は例え緊急放送が開始されても記録しているチャンネルの受信を継続可能であり、途切れることなく使用者の意図したチャンネルの記録を行うことができる。
【００３２】
さらに、表１には含まれないが、緊急放送開始前に記録装置１５で記録を行っていたチャンネルに代えて、表示装置１２において表示していたチャンネルを記録装置１５で記録するようにすれば、視聴していたチャンネルを漏らさずに記録することもできる。
【００３３】
なお、上記説明は緊急放送情報がOOBで送信されているシステムが前提であるが、緊急放送情報がOOBでなく通常の符号化信号チャンネルで送信するシステムも考えられる。この場合は第三の受信系統は不要であり、緊急放送の有無は多重分離装置１１３または１１４で該当するテーブルおよびフラグを抽出し、制御回路１０で監視することで検知可能である。
【実施例２】
【００３４】
実施例１においては、記録装置１５に復号回路１１４または１２４で復号した信号を供給しているが、記録装置１５がデジタル記録の場合は復号前の多重分離した信号を供給する構成とすることも可能である。図２に多重分離信号を記録する、本発明における第二の形態を示す。切換回路１３は一つだけ出力１３３を有し、表示装置１２のみに供給される。第二の切換回路１６は入力１６１および１６２と出力１６３を有し、第一の多重分離回路１１３で分離された信号が入力１６１に、第二の多重分離回路１２３で分離された信号が入力１６２に入力され、いずれかの信号が１６３に出力される。なお図1と同じ項番は同じ内容を示す。
【００３５】
切換回路１３および１６の動作は基本的に表１と同様である。ただし切換回路１６の入力１６１および１６２は切換回路１３の入力１６１および１６２に相当し、かつ各チャンネルの復号前の信号である。また出力１６３は表１の出力１３４に相当する。
【００３６】
まず緊急放送が行われていない通常状態の状態を説明する。表１のＮｏ．１−１に相当する状態では、第一の受信系統からの入力チャンネルＡの復号信号を１３３に出力し、第二の受信系統は動作しない。表1のＮｏ．１−２に相当する状態では、表示装置１２への出力１３３を停止し、出力端子１４への出力１６３にチャンネルＡの多重分離された信号を出力する。表１のＮｏ．１−３に相当する状態では、第一の受信系統で受信したチャンネルＡの復号信号を出力１３３に、多重分離した信号を出力１６３に出力する。表1のＮｏ．１−４に相当する状態では、入力チャンネルＡの復号信号を１３３に出力し、第二の受信系統で受信したチャンネルＢの多重分離した信号を出力１６３に出力する。
【００３７】
緊急放送を検知した場合は、図１の場合と同様にチャンネルＣを表示装置１２で表示しなければならない。表１のＮｏ．１−１に相当する状態で緊急放送を検知した場合は、表１のＮｏ．２−１と同様に、第一の受信系統はチャンネルＣを選局し、それに従い切換回路１３の入力１３１と出力１３３はチャンネルＣの信号となる。
【００３８】
次に表１のＮｏ．１−２に相当する状態で緊急放送を検知した場合は、第一の受信系統ではチャンネルＡを引き続き受信しつつ、緊急放送チャンネルＣは第二の受信系統で受信するように制御回路１０で制御を行う。このとき、表１のＮｏ．２−２のように、第一の受信系統で受信されているチャンネルＡの多重分離された信号は入力１６１に供給され、１６３から出力される。同時に第二の受信系統で受信開始したチャンネルＣの復号信号を入力１３２に供給され、１３３から出力する。また、表１のＮｏ．１−３の状態で緊急放送を検知した場合も同様に、第一の受信系統ではチャンネルＡを引き続き受信しつつ、緊急放送チャンネルＣは第二の受信系統で受信する。
【００３９】
最後に表１のＮｏ．１−４の状態で緊急放送を検知した場合は、記録を行っている第二の受信系統はそのまま受信を続け、表示を行っている第一の受信系統で緊急放送チャンネルを受信するようにする。すなわち表１のＮｏ．２−３と同様に、第一の受信系統は受信チャンネルがチャンネルＡからチャンネルＣに切り換わり、チャンネルＣの復号信号が入力１３１に供給され、１３３から出力する。チャンネルＢの多重分離された信号は緊急放送開始前と同じく、１６３から出力端子１４に出力される。
【００４０】
以上説明したように、本発明によれば、記録装置１５で記録を行っている場合は例え緊急放送が開始されても記録しているチャンネルの受信を継続可能であり、途切れることなく使用者の意図したチャンネルの記録を行うことができる。
【００４１】
なお図２に示した実施例では復号回路が２つあるが、デジタル記録を行うときには、復号を行う必要があるのは表示を行う１チャンネルだけであるので、復号回路を一つだけとし、復号回路に入力する多重分離された信号を適宜切り換える構成としてもよい。
【００４２】
なお以上の説明では、第一の受信系統と第二の受信系統の入力端子１１０および１２０を独立して用意しているが、入力端子は受信装置に一つだけ準備し、受信装置内で分岐する構造にしてもよい。
【実施例３】
【００４３】
以上の説明では入力端子１１０および１２０への入力信号が同一であることを前提としているが、入力端子１１０および１２０の前段に第二の切換回路を準備することにより、異なる入力信号に対しても同様の効果を得ることが可能である。この場合の実施例を図３に示す。
【００４４】
図３において、１８は第二の切換回路、１８１は第一の入力端子、１８２は第二の入力端子、１８３は第一の出力端子、１８４は第二の出力端子である。入力端子１８１と１８２には異なる信号が入力されるものとする。
【００４５】
例えば１８１には地上波アンテナからの信号が、１８２にはケーブルテレビ網からの信号が入力される。１８３および１８４には１８１または１８２の何れかの信号が制御回路１０により選択され出力される。
【００４６】
１８３および１８４に出力されている信号が同一信号の場合は、切換回路１８は特に制御する必要は無く、上記図1と同様の動作を行えばよい。１８３および１８４に出力される信号がそれぞれ１８１および１８２の入力信号であって異なる場合に、記録装置１５が動作中に緊急放送が検知されたならば切換回路１８の制御を行う。
【００４７】
以下切換回路１８の制御を表1を用いて説明する。表1においてチャンネルAが地上波、チャンネルBおよびチャンネルCがケーブルの信号であるとする。したがって、表1の状態１−１、１−２、１−３および１−４の場合は、１８１に入力された地上波信号を１８３に出力し、１８２に入力されたケーブル信号を１８４に出力するように切換回路１８は制御される。
【００４８】
状態２−１の場合、すなわち通常受信時に緊急放送が検知された場合は表示を緊急放送チャンネルCに切換えねばならない。このため１８２に入力されたケーブル信号を１８４だけでなく１８３にも出力するように切換え回路１８を制御することにより、第一の受信系統でチャンネルCが受信可能となる。
【００４９】
なお切換回路１８の制御を行うことなく、第二の受信系統でチャンネルCを受信し表示することも可能である。この場合は切換回路１３が表示する受信系統を第一から第二に切換える。
【００５０】
続いて状態２−２の場合、すなわち表示チャンネル記録時の場合は、第二の受信系統でチャンネルCを受信するので切換回路１８を制御する必要は無い。
最後に状態２−３の場合、すなわち表示とは異なる他チャンネルを記録している場合は、状態２−１の時と同様に、１８２に入力されたケーブル信号を１８４だけでなく１８３にも出力するように切換え回路１８を制御することにより、第一の受信系統でチャンネルCが受信可能となる。
【００５１】
以上説明したように、本発明によれば、地上波とケーブルのような異なる信号が入力されていても、緊急放送の開始に関わらず記録しているチャンネルの受信を継続可能であり、途切れることなく使用者の意図したチャンネルの記録を行うことができる。
【００５２】
いずれの実施例においても本発明の受信装置は、録画を行っているチャンネルは受信を継続しつつ緊急放送チャンネルを新たに別の受信系統で受信・表示するため、緊急放送チャンネルの受信および表示を行いつつ、本来使用者が記録したいチャンネルの記録を途切れることなく続行することが可能であり、ユーザにとって使い勝手がよいものとなる。
【図面の簡単な説明】
【００５３】
【図１】本発明による受信装置の実施方法を示す説明図である。（実施例１）
【図２】本発明による受信装置の実施方法を示す説明図である。（実施例２）
【図３】本発明による受信装置の実施方法を示す説明図である。（実施例３）
【符号の説明】
【００５４】
１０    制御回路
１２    表示装置
１３    切換回路
１４    映像音声信号出力端子
１５    記録装置
１１０    第一の入力端子
１１１    第一の選局回路
１１２    第一の復調回路
１１３    第一の多重分離回路
１１４    第一の復号回路
１２０    第一の入力端子
１２１    第二の選局回路
１２２    第二の復調回路
１２３    第二の多重分離回路
１２４    第二の復号回路
１７１  第三の選局回路
１７２  第三の復調回路
１７３  データ分離回路
【図１】
2005159779.tif 000004
【図２】
2005159779.tif 000005
【図３】
2005159779.tif 000006